(57)【特許請求の範囲】
【請求項１】
筒状のガイド管と、
筒状で一端の開口部が収束した接続部を有するとともに他端の開口部が開放状態の外筒と、
筒状で一端が鋭利な形状で、他端に前記外筒の接続部に嵌合可能な接続部を有し、一端に前記ガイド管の一端をそろえ前記接続部（２ａ）から前記ガイド管の他端を外部へ突出させるとともに前記ガイド管の外周面との間に両端部へと連続してつながる所定の空間を有する状態で前記ガイド管が内部に固着されたガイド管付注射針と、
前記外筒の他端の開口部より挿通され、前記外筒の内面と気密状態で摺動するピストン部及び棒状で前記ピストン部に一端が連結された柄からなり、長手方向に中央を前記ピストン部及び前記柄に連通して摺動孔及びガイド孔が穿設されているとともに前記外筒のピストン部を挿通したときに前記ガイド管が摺動孔及びガイド孔に連通され摺動する内筒と、
筒状で前記ガイド付注射針の外周を少なくとも先端近傍において略密着状態で被覆するとともに前記ガイド付注射針の外周より着脱可能な外套管と
を具備することを特徴とするガイド付ＩＶＨ本穿刺用注射器。
【発明の詳細な説明】
【０００１】
【発明の属する技術分野】
本発明は、ガイド付ＩＶＨ本穿刺用注射器に関するものであり、特に、静脈を通じて高カロリーの成分等を体内に取り込ませるカテーテルを挿入させるガイドとなる外套管を正確な位置、角度及び深さに装着するためのガイド付ＩＶＨ本穿刺用注射器に関するものである。
【０００２】
【従来の技術】
従来より、血液中に薬物等を直接投与するには、注射器により直接静脈中に薬物等を注入している。つまり、図４に示すように、静脈１６に注射針１２を直接穿刺し注射針１２を通じて血液１７中に薬物等が注入される。図４は血管注射をする様子を示す説明図である。このとき、静脈１６の内部の略中央に注射針１２の先端を挿通するためには、皮膚１５上の注射針１２を穿刺する位置、角度及び深さの３つの条件に注意しなくてはならない。つまり、皮膚１５上の３つの位置Ａ，Ｂ，Ｃのうち静脈１６の直上であるＢの位置で、角度Ｆが直上からみて注射針１２が静脈１６に重なる角度で、角度Ｅが注射針１２の長さを考慮したとき静脈１６に到達できる角度の範囲内でできるだけ小さく、このときの深さＤが注射針１２の先端が静脈１６の略中央にくる長さにする。
【０００３】
また、高カロリーの成分等を体内に取り込ませるためには、静脈の中でも鎖骨下静脈、内頚静脈、腸骨大腿静脈等の太めの静脈を通じて行なわれている。このとき、これらの静脈には、カテーテルという折り曲げ自在な管が先端より長さ２０cm乃至７０cmにわたって内部に挿通され留置される。そして、このカテーテルの他端より点滴等が接続され、体内に高カロリーの成分等が送り込まれる。しかし、このカテーテルは血管のように弾性に富み柔らかく、そのままの状態では容易に血管内に先端を挿通させることができない。そこで、前記カテーテルの先端の挿通には、図５に示すような、ＩＶＨ本穿刺用注射器２１が使用されている。図５は従来のＩＶＨ本穿刺用注射器から外套管を分離した様子を示す縦断面図、図６は図５のＩＶＨ本穿刺用注射器の各断面を示す断面図であり、図６の（ａ）は図５のＵ２−Ｕ２断面、図６の（ｂ）は図５のＶ２−Ｖ２断面、図６の（ｃ）は図５のＷ２−Ｗ２断面、図６の（ｄ）は図５のＸ２−Ｘ２断面、図６の（ｅ）は図５のＹ２−Ｙ２断面である。なお、ＩＶＨとは、ｉｎｔｒａｖｅｎｏｕｓ  ｈｙｐｅｒａｌｉｍｅｎｔａｔｉｏｎの略で中心静脈栄養のことである。
【０００４】
図５及び図６に示すように、ＩＶＨ本穿刺用注射器２１は、注射針２２と、外筒２３と、内筒２４と、外套管２７とで構成されている。注射針２２は、長さ略８０mmで、断面の面積が通常の腕等に使用する注射器の注射針の断面積の略９倍である。注射針２２は、先端が容易に穿刺できるように斜めに所定の角度で傾斜して切断されている。また、注射針２２の他端には、外筒２３に着脱可能に接続する接続部２２ａが設けられている。外筒２３は、略円筒状をしており長手方向の一端が収束しており注射針２２の接続部２２ａに嵌合可能な接続部２３ａが形成されている。つまり、注射針２２と外筒２３とは接続部２２ａ，２３ａを通じて着脱可能に接続されている。
【０００５】
外筒２３の長手方向の他端には、フランジ部２３ｂが形成されており、このフランジ部２３ｂの側から内筒２４が挿通さている。内筒２４は、ピストン部２５及び柄２６で構成されている。ピストン部２５は、所定厚さで、外周の形状が外筒２３の内周面に密接可能な形状であり、外周面上を周回して突出したパッキン部２５ａが厚さ方向の両端に各々に形成されている。このパッキン部２５ａは、弾力性がありピストン部２５を外筒２３の内部に挿入したときにピストン部２５の外周面が外筒２３の内周面に気密状態で密接するための役割を担っている。柄２６は断面略十文字状の容易に変形しない棒材であり、長手方向の一端に円盤状のフランジ部２６ａが形成されている。柄２６の他端には、ピストン部２５が厚さ方向の端部の略中央が固着されており、これらピストン部２５と、柄２６とで内筒２４が構成されている。
【０００６】
このように構成された内筒２４は、外筒２３のフランジ部２３ｂ側の端部より、ピストン部２５側から挿通されている。つまり、ＩＶＨ本穿刺用注射器２１は、通常の腕等に使用する注射器に比べて、注射針２２の長さ及び断面の面積が大幅に大きくなったものである。このように構成されたＩＶＨ本穿刺用注射器２１は、図５及び図６に示すように、注射針２２の外周面を密接状態で被覆し、折り曲げ可能で弾力性のある外套管２７を注射針２２に予め装着して使用される。そして、図７に示すような手順でカテーテルは先端を静脈内に挿入される。図７は従来のＩＶＨ本穿刺用注射器を使用してカテーテルが静脈に挿通される様子を示す説明図である。
【０００７】
カテーテル２８を静脈内に挿入するには、カテーテル２８を挿入するガイドとなる外套管２７の先端を静脈１６に挿入しなければならない。また、外套管２７の先端を静脈１６に挿入するためには、ＩＶＨ本穿刺用注射器２１の注射針２２を静脈１６に穿刺しなくてはならない。さらに、ＩＶＨ本穿刺用注射器２１の注射針２２を静脈１６に穿刺するためには、予め、ＩＶＨ本穿刺用注射器２１の穿刺位置、角度及び深さを決めなければならない。特に、ＩＶＨ本穿刺用注射器２１の注射針２２は断面の面積が通常の注射器の注射針の断面の面積の略９倍と大きく、人体への穿刺に対する人体が受けるダメージが大きい。そのため、１回の穿刺で確実に穿刺作業を完了させなければならない。
【０００８】
したがって、まず、図７の（ａ）に示すように、通常の太さの注射針１２を有する注射器１１で予め穿刺位置、角度及び深さの見当を付けておく必要がある。なお、穿刺位置、角度及び深さが正しいかどうかは、注射器１１の外筒内に予め陰圧をかけておき、血液１７が勢いよく流入してくるかどうかを探ればよい。つまり、注射器１１の内筒１４を少し引いた状態を保持しながら、穿刺位置、角度及び深さを順次変更して複数回の穿刺を繰り返していき、血液１７が最も勢いよく流入してくるところが、最適な穿刺位置、角度及び深さである。なお、注射器１１による穿刺は、注射針１２の断面積が充分小さいために、複数回にわたる穿刺も人体にほとんどダメージを与えることはない。このように、穿刺位置、角度及び深さが決定されたら、同図（ｂ）に示すように、注射器１１の注射針１２を皮膚１５及び静脈１６より抜き去る。続いて、同図（ｃ）に示すように、外套管２７を注射針２２に装着させたＩＶＨ本穿刺用注射器２１を注射器１１を抜き去った位置に同じ角度及び深さで穿刺する。なお、このときも注射器１１による穿刺同様にＩＶＨ本穿刺用注射器２１の内筒２４を少しひくことにより外筒２３内には陰圧をかけておく。そして、外筒２３内に血液１７が流入することで、注射針２２の穿刺位置、角度及び深さが適切であることを確認できる。この状態を確認できたら、同図（ｄ）に示すように、注射針２２を皮膚１５及び静脈１６より抜き去る。このとき、予め注射針２２の外周に装着されていた外套管２７だけが先端を皮膚１５及び静脈１６内に介在させたまま残る。そこで、続いて、同図（ｅ）に示すように、外套管２７内にカテーテル２８を挿通させて、先端より略２０cm乃至７０cm程度にわたって静脈１６の内部へと送り込んだら皮膚１５外部への露出部を皮膚１５に縫い付けたりテーピング等により固定する。なお、外套管２７は、カテーテル２８の静脈１６への留置後、同図（ｆ）に示すように、皮膚１５及び静脈１６から引き抜くとともに、つまみ部２７ａを横方向引っ張ることで２つに分割し、除去する。
【０００９】
このようにして、従来より、高カロリーの成分等を血液１７中に投与するには、通常の注射器１１による穿刺位置、角度及び深さの決定、ＩＶＨ本穿刺用注射器２１による外套管２７の静脈１６内への埋め込み、外套管２７をガイドにカテーテル２８の静脈１６内への挿通の３つの工程を経ての前準備が必要である。そして、これらの工程が終了してから、カテーテル２８を通じて静脈１６内に高カロリーの成分等が注入される。
【００１０】
【発明が解決しようとする課題】
しかし、上記のように、ＩＶＨ本穿刺用注射器２１の注射針２２を穿刺する位置、角度及び深さを決定する手段である注射器１１の注射針１２は、ＩＶＨ本穿刺用注射器２１の注射針２２を穿刺する直前に静脈１６及び皮膚１５より抜かれてしまうため、位置、角度及び深さについては医師の記憶にたよる部分が殆どであり、熟練した技術がない限り充分に信頼度が高いものとはいえなかった。また、ＩＶＨ本穿刺用注射器２１の注射針２２の断面積は、注射器１１の注射針１２の断面積の略９倍と非常に大きく人体に与えるダメージが大きかった。なお、アルコール中毒禁断症状の患者では、大量の補液が必要であるにも拘らず、激しい体動を行なうために、通常の点滴ではすぐに静脈が破れてしまう。したがって、ＩＶＨ用のカテーテルを用いることが望ましいが、局所麻酔により痛みを除去しても、体動を行なうため、上記の方法では、ＩＶＨ本穿刺用注射器２１を的確な位置、角度及び深さで穿刺するのに充分とはいえなかった。
【００１１】
そこで、本発明は、注射器により決定された穿刺位置、角度及び深さを目分量に頼ることなく正確に穿刺できるガイド付ＩＶＨ本穿刺用注射器の提供を課題とするものである。
【００１３】
【課題を解決するための手段】
請求項１の発明にかかるガイド付ＩＶＨ本穿刺用注射器は、筒状のガイド管と、途中が略均一な断面の筒状で一端の開口部が収束し接続部が形成されるとともに他端の開口部が開放された外筒と、筒状で一端が鋭利な形状になっており、他端に前記外筒の接続部に嵌合可能な接続部が形成され、一端に前記ガイド管の一端をそろえ他端から前記ガイド管の他端を外部へさせるとともに前記ガイド管の外周面との間に両端部へと連続してつながる所定の空間を残した状態で前記ガイド管が内部に介装及び固着されたガイド管付注射針と、前記外筒の他端側より挿通され前記外筒の内面と気密状態で摺動するピストン部及び棒状で前記ピストン部に一端を固着された柄からなり、長手方向に中央を前記ピストン部及び前記柄に連通して各々に摺動孔及びガイド孔が穿設されているとともに前記外筒の他端より前記外筒の内部に前記ピストン部を先頭に挿通したとき前記ガイド管の前記外筒内への突出部分が摺動孔及びガイド孔に連通して気密状態で摺動する内筒と、筒状で前記ガイド管付注射針の外周を少なくとも一端近傍において略密接状態で被覆するとともに前記ガイド管付注射針の外周より着脱可能な外套管とを備えたものである。ここで、ガイド管付注射針、外筒、内筒及びガイド管の断面形状には、円があるが、その他に、楕円、各種多角形等どのような形状でもよい。また、使用目的には、静脈中にカテーテルの先端を挿入することがあるが、その他に、静脈中に直接高カロリーの成分を注入してもよい。
【００１４】
したがって、請求項１の発明のガイド付ＩＶＨ本穿刺用注射器によれば、通常の太さの注射針を有する注射器により静脈への最適な穿刺位置、角度及び深さを予め仮決定しておき、続いて通常の注射器の注射針のみを残したまま他の部分を除去し、注射針の中央の孔をガイドに、容易に変形しない棒状のガイド針の一端を静脈内へと挿入し、ガイド針の一端を静脈内に挿入したままの状態にして注射針を除去し、さらに、ガイド針の他端を注射針の先端より注射針の内部を通り内筒の外部へと略直線状に連続してつながるガイド管へと挿通させながら注射針またはガイド管付注射針を静脈に穿刺すれば、注射針またはガイド管付注射針はガイド針の挿通されている位置においてガイド針と同じ角度で静脈内へと導かれる。
【００１５】
【発明の実施の形態】
以下、本発明の実施形態について説明をする。図１は本発明の一実施形態であるガイド付ＩＶＨ本穿刺用注射器から外套管を分離した様子を示す縦断面図、図２は図１のガイド付ＩＶＨ本穿刺用注射器の各断面を示す断面図であり、図２の（ａ）は図１のＵ１−Ｕ１断面、図２の（ｂ）は図１のＶ１−Ｖ１断面、図２の（ｃ）は図１のＷ１−Ｗ１断面、図２の（ｄ）は図１のＸ１−Ｘ１断面、図２の（ｅ）は図１のＹ１−Ｙ１断面である。
【００１６】
図１及び図２に示すように、本実施形態のガイド付ＩＶＨ本穿刺用注射器１は、ガイド管付注射針２と、外筒３と、内筒４と、外套管７で全体が構成されている。
【００１７】
ガイド管付注射針２は、長さ略８０mmで、断面の面積が通常の腕等に使用する注射器の注射針の断面積の略９倍である。そして、一端は容易に穿刺できるように斜めに所定の角度で傾斜して切断されている。また、他端には、外筒３に着脱可能に接続する接続部２ａが設けられている。そして、ガイド管付注射針２の内部には、さらにガイド管２ｂが挿通されている。
【００１８】
ガイド管２ｂは、通常の注射針と略同様の内部が空洞の針状であり、一端をガイド管付注射針２の穿刺する側に合わせ、他端をガイド管付注射針２の外部へと突出させてガイド管付注射針２の内部に挿通され固着されている。このガイド管２ｂは、内径が通常の注射器の注射針の内径と略等しく外径がガイド管付注射針２の内部との間に血液が移動するのに充分な断面積を残せる程の大きさである。つまり、ガイド管付注射針２の内周面とガイド管２ｂの外周面の間には、ガイド管付注射針２の一端から他端へと連続してつながる空間が形成されており、この空間を血液が移動できる。
【００１９】
外筒３は、略円筒状をしており長手方向の一端が収束しておりガイド管付注射針２の接続部２ａに嵌合可能な接続部３ａが形成されている。つまり、ガイド管付注射針２と外筒３は接続部２ａ，３ａを通じて接続されている。このとき、接続部２ａ，３ａは接着剤等により離脱不能に固着されており、ガイド管付注射針２と外筒３とは一体化されている。さらに、ガイド管２ｂは、ガイド管付注射針２の内部より外筒３の内部へと突出している。外筒３の長手方向の他端には、フランジ部３ｂが形成されており、このフランジ部３ｂの側から内筒４が挿通される。
【００２０】
内筒４は、ピストン部５と柄６とで構成されている。ピストン部５は、所定厚さで、外周の形状が外筒３の内周面に密接可能な形状であり、外周面上を周回して突出したパッキン部５ｂが厚さ方向の両端に各々に形成されている。このパッキン部５ｂは、弾力性がありピストン部５を外筒３の内部に挿入したときにピストン部５の外周面が外筒３の内周面に気密状態で密接するための役割を担っている。柄６は容易に変形しない断面略十文字状の棒材であり、長手方向の一端に円盤状のフランジ部６ａが形成されている。柄６の他端には、ピストン部５が厚さ方向の端部の略中央が連結されており、これらピストン部５と、柄６とで内筒４が構成されている。
【００２１】
このように構成された内筒４は、外筒３のフランジ部３ｂ側の端部より、ピストン部５側から挿通されている。また、ピストン部５及び柄６には、内筒４の中央を長手方向に連通する摺動孔５ａ及びガイド孔６ｂが各々に穿設されている。そのため、ガイド管付注射針２の内部より外筒３の内部へと突出したガイド管２ｂは、内筒４が外筒３内に挿通されている状態では、摺動孔５ａ及びガイド孔６ｂに連通して挿通されている。なお、摺動孔５ａの周囲には、中心方向へ向かって突出するパッキン部５ｃが周回してピストン部５の厚さ方向両端に形成されている。そのため、ガイド管２ｂとピストン部５との間に気密性が保たれている。また、ガイド孔６ｂの内径はガイド管２ｂの内径より大きめであり、殆ど抵抗がなく、ガイド管２ｂの存在は内筒４の操作を何ら妨げるものではない。
【００２２】
つまり、本実施形態のガイド付ＩＶＨ本穿刺用注射器１は、従来のＩＶＨ本穿刺用注射器２１において、注射針２２を内部にガイド管２ｂを備えたガイド管付注射針２に代えたものであり、内筒２４を中央を長手方向に連通して貫通する摺動孔５ａ及びガイド孔６ｂを備えた内筒４に代えたものである。また、ガイド付ＩＶＨ本穿刺用注射器１を使用しても外筒３内に陰圧をかけた状態で静脈にガイド管付注射針２を穿刺すれば、ＩＶＨ本穿刺用注射器２１の場合と同様に血液がガイド管付注射針２内を通って外筒３内へと流入する。ただし、ガイド管２ｂ内には陰圧は加わることがないので、ガイド管２ｂ内を血液が移動することはない。また、ガイド管２ｂ内の空間はガイド管付注射針２の先端より柄６のフランジ部６ａまで連通して何も妨げるものがないので、ガイド管２ｂの内径より小さい外径を持つ直線状の棒材ならば挿通させることができる。この点で、ＩＶＨ本穿刺用注射器２１と相違する。
【００２３】
このような構成のガイド付ＩＶＨ本穿刺用注射器１は、ＩＶＨ本穿刺用注射器２１と同様にガイド管付注射針２の外周面を略密接状態で被覆し、折り曲げ可能で弾力性のある外套管７をガイド管付注射針２に予め装着させて使用される。
【００２４】
ここで、本実施形態のガイド付ＩＶＨ本穿刺用注射器１を使用してのカテーテルの先端の静脈内への挿入工程について説明する。カテーテルの先端を静脈内へ挿入するには、予め、ガイドとなる外套管７の先端を静脈内へ挿入しておかなければならない。外套管７は図３に示すような手順で先端を静脈内に挿入される。図３は本発明の一実施形態であるガイド付ＩＶＨ本穿刺用注射器の外套管が先端を静脈に挿通される様子を示す説明図である。なお、外套管７の先端が静脈１６に挿入されたのちに、カテーテルを静脈内に挿入する工程については従来と同様である。
【００２５】
まず、図３の（ａ）に示すように、通常の太さの注射針１２を有する注射器１１で予め穿刺位置、角度及び深さを仮決定しておく。なお、穿刺位置、角度及び深さが正しいかどうかは、注射器１１の外筒内に予め陰圧をかけておき、血液１７が勢いよく流入してくるかどうかを探る。つまり、注射器１１の内筒１４を少し引いた状態を保持しながら、穿刺位置、角度及び深さを順次変更して複数回の穿刺を繰り返していき、血液１７が最も勢いよく流入してくるところが、最適な穿刺位置、角度及び深さである。なお、注射器１１による穿刺は、注射針１２の断面積が充分小さいために、複数回にわたる穿刺も人体に殆どダメージを与えることはない。
【００２６】
このようにして、穿刺位置、角度及び深さが決定されたら、同図（ｂ）に示すように、注射器１１は、注射針１２が先端を皮膚１５及び静脈１６内部に残ったままその他の部分を離脱させる。
【００２７】
続いて、同図（ｃ）に示すように、注射針１２の内部に容易に変形しないガイド針８を挿通し、先端が静脈１６を略貫通するまで差し込む。なお、ガイド針８の外径は注射針１２の内径より小さいため、注射針１２内を挿通させることは容易である。また、ガイド針８の外径は注射針１２の内径より小さいため、注射針１２と同様に、皮膚１５、静脈１６及び周囲組織に殆どダメージを与えないことは言うまでもない。
【００２８】
続いて、同図（ｄ）に示すように、注射針１２を皮膚１５及び静脈１６より引き抜くと、皮膚１５及び静脈１６には、ガイド針８のみが残る。そして、ガイド針８が、ガイド付ＩＶＨ本穿刺用注射器１を穿刺すべき位置及び角度を示すことになる。
【００２９】
ガイド針８をガイドにガイド付ＩＶＨ本穿刺用注射器１を静脈１６内に穿刺するには、同図（ｅ）に示すように、ガイド管付注射針２の内部に介在されているガイド管２ｂ内へと、ガイド針８の端部を挿通させる。そのまま、同図（ｆ）に示すように、ガイド管２ｂとガイド針８をスライドさせながらガイド付ＩＶＨ本穿刺用注射器１のガイド管付注射針２を皮膚１５へと移動させれば、ガイド付ＩＶＨ本穿刺用注射器１は、的確な位置及び角度にて静脈１６へと穿刺されていく。このとき、予め、内筒４を少し引き気味にして外筒３内に陰圧をかけておけば、ガイド管付注射針２の先端が静脈１６の略中央付近に位置するときに勢いよく血液１７が外筒３内へと流入するため、穿刺する深さも容易に決定できる。また、同時に穿刺位置及び角度が適切であることも確認できる。この状態を確認できたら、ガイド管付注射針２及びガイド針８を皮膚１５及び静脈１６より抜き去る。このとき、予めガイド管付注射針２の外周に装着されていた外套管７だけが先端を皮膚１５及び静脈１６内に介在させたまま残る。
【００３０】
この後は、従来のＩＶＨ本穿刺用注射器２１の外套管２７を使用する場合と同様にカテーテルを装着させる。つまり、外套管７内にカテーテルの先端を挿通させて、先端より略２０cm乃至７０cm程度にわたって静脈１６の内部へと送り込んだら皮膚１５外部への露出部を皮膚１５に縫い付けたりテーピング等により固定する。なお、外套管７は、カテーテルの静脈１６への留置後、皮膚１５及び静脈１６から引き抜くとともに、つまみ部７ａを横方向引っ張ることで２つに分割し除去する。
【００３１】
このように、本実施形態のガイド付ＩＶＨ本穿刺用注射器１は、従来のＩＶＨ本穿刺用注射器２１において、注射針２２を内部にガイド管２ｂを備えたガイド管付注射針２に代えたものであり、内筒２４を中央を長手方向に連通して貫通する摺動孔５ａ及びガイド孔６ｂを備えた内筒４に代えたものである。つまり、通常の注射器１１により決定された穿刺位置及び角度を忠実に記録できるガイド針８をガイドに最適な穿刺位置、角度及び深さで穿刺できるものである。
【００３２】
したがって、本実施形態のガイド付ＩＶＨ本穿刺用注射器１は、通常の太さの注射針１２を有する注射器１１により静脈への最適な穿刺位置、角度及び深さを予め調べておき、続いて通常の注射器１１の注射針１２のみを残したまま他の部分を除去し、注射針１２の中央の孔をガイドに、容易に変形しない棒状のガイド針８の一端を静脈１６内へと挿入し、ガイド針８は一端を静脈１６内に挿入されたままの状態で注射針１２を除去し、さらに、ガイド針８の他端をガイド管２ｂへと挿通させながらガイド管２ｂを静脈１６に穿刺すれば、ガイド管付注射針２はガイド針８の挿通されている位置においてガイド針８と同じ角度で静脈１６内へと導かれるので、予め通常の太さの注射針１２を有する注射器１１により調べておいた静脈１６への最適な穿刺位置及び角度でガイド管付注射針２を静脈１６内に一回の作業で容易に穿刺することができる。このとき、内筒４を予め引き気味にしておいて外筒３内を陰圧状態にしておけば、最適な深さにガイド管付注射針２の先端が到達したときに外筒３内へ血液１７が流入する。その後、ガイド管付注射針２を除去すれば、外套管７だけが先端を静脈１６内に残し、カテーテルの先端を静脈１６内に挿入するためのガイドの役割を果たす。
【００３３】
なお、上記説明では、ガイド管付注射針２、外筒３、内筒４及びガイド管２ｂの断面形状を円としたが、その他に、楕円、各種多角形等どのような形状でもよい。また、使用目的には、静脈１６中にカテーテルの先端を挿入することがあるが、その他に、静脈１６中に本実施形態のガイド付ＩＶＨ本穿刺用注射器１により直接血液１７等の高カロリーの成分を注入しても構わない。
【００３４】
また、ガイド針８の材質は、セラミックスやステンレス等でもよいが、その他に、ガイド付ＩＶＨ本穿刺用注射器１を静脈に穿刺する際のガイドとしての使用に対して容易に変形及び破損しない材質であるとともに、人体に悪影響をあたえないものであればどのようなものにしても構わない。
【００３５】
【発明の効果】
以上のように、請求項１の発明のガイド付ＩＶＨ本穿刺用注射器は、通常の太さの注射針を有する注射器により静脈への最適な穿刺位置、角度及び深さを予め仮決定しておき、続いて通常の注射器の注射針のみを残したまま他の部分を除去し、注射針の中央の孔をガイドに、容易に変形しない棒状のガイド針の一端を静脈内へと挿入し、ガイド針は一端を静脈内に挿入されたままの状態で注射針を除去し、さらに、ガイド針の他端を注射針の先端より注射針の内部を通り内筒の外部へと略直線状に連続してつながるガイド管へと挿通させながら注射針またはガイド管付注射針を静脈に穿刺すれば、注射針またはガイド管付注射針はガイド針の挿通されている位置においてガイド針と同じ角度で静脈内へと導かれるので、予め通常の注射器により調べておいた静脈への最適な穿刺位置、角度で注射針またはガイド管付注射針を静脈内に一回の作業で容易に穿刺することができる。このとき、内筒を予め引き気味にしておいて外筒内を陰圧状態にしておけば、最適な深さに注射針またはガイド管付注射針の先端が到達したときに外筒内へ血液が流入する。その後、注射針またはガイド管付注射針を除去すれば、外套管だけが先端を静脈内に残し、カテーテルの先端を静脈内に挿入するためのガイドの役割を果たす。
【図面の簡単な説明】
【図１】本発明の一実施形態であるガイド付ＩＶＨ本穿刺用注射器から外套管を分離した様子を示す縦断面図である。
【図２】図１のガイド付ＩＶＨ本穿刺用注射器の各断面を示す断面図である。
【図３】本発明の一実施形態であるガイド付ＩＶＨ本穿刺用注射器の外套管が先端を静脈に挿通される様子を示す説明図である。
【図４】血管注射をする様子を示す説明図である。
【図５】従来のＩＶＨ本穿刺用注射器から外套管を分離した様子を示す縦断面図である。
【図６】図５のＩＶＨ本穿刺用注射器の各断面を示す断面図である。
【図７】従来のＩＶＨ本穿刺用注射器を使用してカテーテルが静脈に挿通される様子を示す説明図である。
【符号の説明】
１    ガイド付ＩＶＨ本穿刺用注射器
２    ガイド管付注射針
２ａ  接続部
２ｂ  ガイド管
３    外筒
３ａ  接続部
３ｂ  フランジ部
４    内筒
５    ピストン部
５ａ  摺動孔
５ｂ  パッキン部
５ｃ  パッキン部
６    柄
６ａ  フランジ部
６ｂ  ガイド孔
７    外套管
７ａ  つまみ部
８    ガイド針
１１    注射器
１２    注射針
１３    外筒
１４    内筒
１５    皮膚
１６    静脈
１７    血液
【図１】
0003856507.tif 000002
【図２】
0003856507.tif 000003
【図３】
0003856507.tif 000004
【図４】
0003856507.tif 000005
【図５】
0003856507.tif 000006
【図６】
0003856507.tif 000007
【図７】
0003856507.tif 000008